(57)【要約】【課題】  半導体素子を搭載する電極基板の面方向の大きさを小さくすることができ、装置全体の小型化を図ることができる液晶表示装置を提供する。【解決手段】  半導体チップ９が搭載される上側の電極基板７の下面に収納凹部１２を設け、この収納凹部１２内に半導体チップ９を収納すると共に、上側の電極基板７の下面にフレキシブルな配線基板１３を半導体チップ９を覆って配置し、この配線基板１３の上面に出力側端子を設け、配線基板の上下両面に入力側端子を設け、この入力側端子の一部である下面側の入力側端子を半導体チップ９に重ねた。従って、半導体チップ９を搭載する上側の電極基板７に出力側端子と入力側端子とを設ける必要がないばかりか、入力側端子の一部である下面側の入力側端子を半導体チップ９に重ねることにより、上側の電極基板７における面方向の大きさを小さくすることができ、これにより装置全体の小型化を図ることができる。【選択図】        図２
2007079095.tif 000002
【特許請求の範囲】
【請求項１】
液晶を挟んで互いに対向する一対の電極基板と、これら一対の電極基板のうち、一方の電極基板に搭載される半導体素子とを備えた液晶表示装置において、
前記半導体素子が搭載される前記一方の電極基板に収納部を設け、この収納部内に前記半導体素子を収納すると共に、前記一方の電極基板にフレキシブルな配線基板を前記半導体素子の露出する表面を覆って配置し、この配線基板に前記半導体素子が接続する出力側端子と入力側端子とを設けると共に、前記入力側端子の一部を前記半導体素子に重ねたことを特徴とする液晶表示装置。
【請求項２】
前記配線基板は、ベースシートの表裏両面のうち、前記半導体素子が対面する表面に前記出力側端子を設け、前記ベースシートの表裏両面にスルーホール部を介して前記入力側端子を設けた構成であることを特徴とする請求項１に記載の液晶表示装置。
【請求項３】
前記配線基板は、ベースシートの表裏両面のうち、前記半導体素子が対面する片面のみに前記出力側端子と前記入力側端子とを設けた構成で、前記配線基板の一端部側が前記半導体素子を覆った状態で前記一方の電極基板と前記他方の電極基板との間に挟まれ、前記配線基板の他端部側が前記他方の電極基板の側面から裏面に亘って折り曲げられていることを特徴とする請求項１に記載の液晶表示装置。
【請求項４】
液晶を挟んで互いに対向する一対の電極基板と、これら一対の電極基板のうち、一方の電極基板に搭載される半導体素子とを備えた液晶表示装置において、
前記半導体素子が搭載される前記一方の電極基板を互いに重なり合う２枚の透明板で構成し、これら２枚の透明板のうち、前記他方の電極基板に対面する一方の透明板に収納部を設け、この収納部内に前記半導体素子を収納すると共に、前記一方の透明板にフレキシブルな配線基板を前記半導体素子の露出する表面を覆って配置し、この配線基板に前記半導体素子が接続する出力側端子と入力側端子とを設けると共に、前記入力側端子の一部を前記半導体素子に重ねたことを特徴とする液晶表示装置。
【請求項５】
前記配線基板は、ベースシートの表裏両面のうち、前記半導体素子が対面する表面に前記出力側端子を設け、前記ベースシートの表裏両面にスルーホール部を介して前記入力側端子を設けた構成であることを特徴とする請求項４に記載の液晶表示装置。
【請求項６】
前記配線基板は、ベースシートの表裏両面のうち、前記半導体素子が対面する片面のみに前記出力側端子と前記入力側端子とを設けた構成で、前記配線基板の一端部側が前記半導体素子を覆った状態で前記一方の透明板と前記他方の電極基板との間に挟まれ、前記配線基板の他端部側が前記他方の電極基板の側面から裏面に亘って折り曲げられていることを特徴とする請求項４に記載の液晶表示装置。
【請求項７】
液晶を挟んで互いに対向する一対の電極基板と、これら一対の電極基板のうち、一方の電極基板に搭載される半導体素子とを備えた液晶表示装置において、
前記一方の電極基板に、出力側端子と入力側端子とが表裏両面に設けられたフレキシブルな配線基板を前記一方の電極基板の端部から側方に延出させて設け、前記一方の電極基板に対応する箇所の前記配線基板に前記半導体素子を配置して、この半導体素子を前記出力側端子と前記入力側端子とにそれぞれ電気的に接続すると共に、この半導体素子を封止剤で封止し、この状態で前記一方の電極基板の端部から側方に延出した部分の前記配線基板を前記封止剤の側面から裏面に亘って折り曲げ、これにより前記入力側端子の一部を前記半導体素子に重ねたことを特徴とする液晶表示装置。
【発明の詳細な説明】
【技術分野】
【０００１】
この発明は、時計や携帯電話機、電子辞書、ＰＤＡ（パーソナル・デジタル・アシスタント）などの電子機器に用いられる液晶表示装置に関する。
【背景技術】
【０００２】
従来、液晶表示装置においては、特許文献１に記載されているように、液晶を挟んで互いに対向する一対の透明な電極基板のうち、一方の電極基板に出力側端子と入力側端子とを設け、この一方の電極基板に半導体チップを搭載して出力側端子と入力側端子とに電気的に接続することにより、出力側端子によって半導体チップと電極基板とを電気的に接続すると共に、半導体チップが接続された入力側端子と回路基板とをコネクタによって電気的に接続するように構成したものがある。
【特許文献１】特開平９−３１８９６７号
【発明の開示】
【発明が解決しようとする課題】
【０００３】
しかしながら、このような従来の液晶表示装置では、液晶を挟んで互いに対向する一対の電極基板のうち、半導体チップが搭載される一方の電極基板に出力側端子と入力側端子とを設けているので、一方の電極基板に半導体チップを搭載するほかに、半導体チップが接続される出力側端子および入力側端子をも設ける必要があり、このため半導体チップを搭載する電極基板が面方向に大きくなり、これに伴って装置全体が大型化するという問題がある。
【０００４】
この発明が解決しようとする課題は、半導体素子を搭載する電極基板の面方向の大きさを小さくすることができ、これにより装置全体の小型化を図ることができる液晶表示装置を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図６に示すように、液晶を挟んで互いに対向する一対の電極基板（７、８または２１）と、これら一対の電極基板のうち、一方の電極基板（７）に搭載される半導体素子（半導体チップ９）とを備えた液晶表示装置において、
前記半導体素子が搭載される前記一方の電極基板に収納部（収納凹部１２）を設け、この収納部内に前記半導体素子を収納すると共に、前記一方の電極基板にフレキシブルな配線基板（１３または２２）を前記半導体素子の露出する表面を覆って配置し、この配線基板に前記半導体素子が接続する出力側端子（１５）と入力側端子（１６）とを設けると共に、前記入力側端子の一部を前記半導体素子に重ねたことを特徴とする液晶表示装置である。
【０００７】
請求項２に記載の発明は、図１〜図４に示すように、前記配線基板（１３）が、ベースシート（１４）の表裏両面のうち、前記半導体素子（半導体チップ９）に対面する表面に前記出力側端子（１５）を設け、前記ベースシート（１４）の表裏両面にスルーホール部（１６ａ）を介して前記入力側端子（１６）を設けた構成であることを特徴とする請求項１に記載の液晶表示装置である。
【０００８】
請求項３に記載の発明は、図５および図６に示すように、前記配線基板（２２）が、ベースシート（１４）の表裏両面のうち、前記半導体素子（半導体チップ９）に対面する片面のみに前記出力側端子（１５）と前記入力側端子（１６）とを設けた構成で、前記配線基板の一端部側が前記半導体素子を覆った状態で前記一方の電極基板（７）と前記他方の電極基板(２１)との間に挟まれ、前記配線基板の他端部側が前記他方の電極基板（２１）の側面から裏面に亘って折り曲げられていることを特徴とする請求項１に記載の液晶表示装置である。
【０００９】
請求項４に記載の発明は、図７〜図９に示すように、液晶を挟んで互いに対向する一対の電極基板（３１、８または２１）と、これら一対の電極基板のうち、一方の電極基板（３１）に搭載される半導体素子（半導体チップ９）とを備えた液晶表示装置において、
前記半導体素子が搭載される前記一方の電極基板を互いに重なり合う２枚の透明板（３２、３３）で構成し、これら２枚の透明板のうち、前記他方の電極基板（８または２１）に対面する一方の透明板（３３）に収納部（切欠部３４）を設け、この収納部内に前記半導体素子を収納すると共に、前記一方の透明板（３３）にフレキシブルな配線基板（１３または２２）を前記半導体素子の露出する表面を覆って配置し、この配線基板に前記半導体素子が接続する出力側端子（１５）と入力側端子（１６）とを設けると共に、前記入力側端子の一部を前記半導体素子に重ねたことを特徴とする液晶表示装置である。
【００１０】
請求項５に記載の発明は、図７および図８に示すように、前記配線基板（１３）が、ベースシート（１４）の表裏両面のうち、前記半導体素子（半導体チップ９）に対面する表面に前記出力側端子（１５）を設け、前記ベースシート（１４）の表裏両面にスルーホール部（１６ａ）を介して前記入力側端子（１６）を設けた構成であることを特徴とする請求項４に記載の液晶表示装置である。
【００１１】
請求項６に記載の発明は、図９に示すように、前記配線基板（２２）が、ベースシート（１４）の表裏両面のうち、前記半導体素子（半導体チップ９）に対面する片面のみに前記出力側端子（１５）と前記入力側端子（１６）とを設けた構成で、前記配線基板の一端部側が前記半導体素子を覆った状態で前記一方の透明板（３３）と前記他方の電極基板（２１）との間に挟まれ、前記配線基板の他端部側が前記他方の電極基板（２１）の側面から裏面に亘って折り曲げられていることを特徴とする請求項４に記載の液晶表示装置である。
【００１２】
請求項７に記載の発明は、図１０〜図１３に示すように、液晶を挟んで互いに対向する一対の電極基板（７、８）と、これら一対の電極基板のうち、一方の電極基板（７）に搭載される半導体素子（半導体チップ９）とを備えた液晶表示装置において、
前記一方の電極基板（７）に、出力側端子（１５）と入力側端子（１６）とが表裏両面に設けられたフレキシブルな配線基板（５１）を前記一方の電極基板の端部から側方に延出させて設け、前記一方の電極基板に対応する箇所の前記配線基板に前記半導体素子を配置して、この半導体素子を前記出力側端子と前記入力側端子とにそれぞれ電気的に接続すると共に、この半導体素子を封止剤（モールド樹脂５２）で封止し、この状態で前記一方の電極基板の端部から側方に延出した部分の前記配線基板を前記封止剤の側面から裏面に亘って折り曲げ、これにより前記入力側端子の一部を前記半導体素子に重ねたことを特徴とする液晶表示装置である。
【発明の効果】
【００１３】
請求項１に記載の発明によれば、半導体素子が搭載される一方の電極基板に収納部を設け、この収納部内に半導体素子を収納すると共に、この一方の電極基板にフレキシブルな配線基板を半導体素子の露出する表面を覆って配置し、この配線基板に半導体素子が接続する出力側端子と入力側端子とを設けると共に、入力側端子の一部を半導体素子に重ねたので、半導体素子を搭載する電極基板に出力側端子と入力側端子とを設ける必要がないばかりか、入力側端子の一部を半導体素子に重ねていることにより、半導体素子を搭載する電極基板の面方向の大きさを小さくすることができ、これにより装置全体の小型化を図ることができる。
【００１４】
請求項２に記載の発明によれば、配線基板が、ベースシートの表裏両面のうち、半導体素子に対面する表面に出力側端子を設け、ベースシートの表裏両面にスルーホール部を介して入力側端子を設けた構成であることにより、ベースシートの裏面側に設けられた入力側端子を半導体素子に重ねた状態で配線基板の裏面側に露出させることができ、これにより半導体素子を搭載する電極基板の面方向の大きさを小さくすることができるので、装置全体の小型化を図ることができるほか、特に半導体素子が接続された入力側端子と回路基板とを接続する際、その接続作業が容易にできるので、接続作業性の向上をも図ることができる。
【００１５】
請求項３に記載の発明によれば、配線基板が、ベースシートの表裏両面のうち、半導体素子に対面する片面のみに出力側端子と入力側端子とを設けた構成であるから、請求項２に記載の発明よりも、配線基板を容易に製作することができるほか、この配線基板の一端部側が半導体素子を覆った状態で一方の電極基板と他方の電極基板との間に挟まれ、この配線基板の他端部側が他方の電極基板の側面から裏面に亘って折り曲げられていることにより、出力側端子と入力側端子とを配線基板の片面のみに設けても、入力側端子の一部、つまり入力側端子の折り曲げられた部分を半導体素子に重ねた状態で他方の電極基板の裏面側に露出させることができ、これによっても装置全体の小型化を図ることができるほか、半導体素子が接続された入力側端子と回路基板とを接続する際、その接続作業が容易にできると共に、他方の電極基板が半導体素子を覆っているので、この他方の電極基板によって半導体素子を確実に且つ良好に保護することができる。
【００１６】
請求項４に記載の発明によれば、半導体素子が搭載される一方の電極基板を互いに重なり合う２枚の透明板で構成し、これら２枚の透明板のうち、他方の電極基板に対面する一方の透明板に収納部を設け、この収納部内に半導体素子を収納しているので、請求項１に記載の発明のものよりも、収納部を簡単に加工することができるほか、一方の透明板にフレキシブルな配線基板を半導体素子の露出する表面を覆って配置し、この配線基板に半導体素子が接続する出力側端子と入力側端子とを設けると共に、入力側端子の一部を半導体素子に重ねたので、請求項１に記載の発明と同様、半導体素子を搭載する電極基板に出力側端子と入力側端子とを設ける必要がないばかりか、入力側端子の一部を半導体素子に重ねていることにより、半導体素子を搭載する一方の電極基板である２枚の透明板の面方向の大きさを小さくすることができ、これにより装置全体の小型化を図ることができる。
【００１７】
請求項５に記載の発明によれば、配線基板が、ベースシートの表裏両面のうち、半導体素子に対面する表面に出力側端子を設け、ベースシートの表裏両面にスルーホール部を介して入力側端子を設けた構成であることにより、請求項２に記載の発明と同様、ベースシートの裏面側の入力側端子を半導体素子に重ねた状態で配線基板の裏面側に露出させることができ、これにより半導体素子を搭載する電極基板の面方向の大きさを小さくすることができるので、装置全体の小型化を図ることができるほか、半導体素子が接続された入力側端子と回路基板とを接続する際、その接続作業が容易にできるので、接続作業性の向上をも図ることができる。
【００１８】
請求項６に記載の発明によれば、配線基板が、ベースシートの表裏両面のうち、半導体素子に対面する片面のみに出力側端子と入力側端子とを設けた構成であるから、請求項５に記載の発明よりも、配線基板を容易に製作することができるほか、この配線基板の一端部側が半導体素子を覆った状態で一方の透明板と他方の電極基板との間に挟まれ、この配線基板の他端部側が他方の電極基板の側面から裏面に亘って折り曲げられているので、請求項３に記載の発明と同様、出力側端子と入力側端子とを配線基板の片面のみに設けても、入力側端子の一部、つまり入力側端子の折り曲げられた部分を半導体素子に重ねた状態で他方の電極基板の裏面側に露出させることができ、これによっても装置全体の小型化を図ることができるほか、半導体素子が接続された入力側端子と回路基板とを接続する際、その接続作業が容易にできると共に、他方の電極基板が半導体素子を覆っているので、この他方の電極基板によって半導体素子を確実に且つ良好に保護することができる。
【００１９】
請求項７に記載の発明によれば、半導体素子が搭載される一方の電極基板に、出力側端子と入力側端子とが表裏両面に設けられたフレキシブルな配線基板を一方の電極基板の端部から側方に延出させて設け、この一方の電極基板に対応する箇所の配線基板に半導体素子を配置して、この半導体素子を出力側端子と入力側端子とにそれぞれ電気的に接続するので、請求項１または４に記載の発明と同様、半導体素子を搭載する電極基板に出力側端子と入力側端子とを設ける必要がなく、また配線基板に配置された半導体素子を封止剤で封止し、この状態で一方の電極基板の端部から側方に延出した部分の配線基板を封止剤の側面から裏面に亘って折り曲げているので、半導体素子が接続された配線基板の入力側端子の一部、つまり入力側端子の折り曲げられた部分を半導体素子に重ねた状態で封止剤の裏面側に露出させることができる。
【００２０】
このため、半導体素子を搭載する電極基板に出力側端子と入力側端子とを設ける必要がないばかりか、一方の電極基板に設けられた配線基板に半導体素子を配置して封止剤で封止しても、配線基板の入力側端子の一部、つまり入力側端子の折り曲げられた部分を半導体素子に重ねた状態で封止剤の裏面側に露出させることができ、これにより半導体素子を搭載する電極基板の面方向の大きさを小さくすることができるので、装置全体の小型化を図ることができるほか、請求項３または６に記載の発明と同様、半導体素子が接続された入力側端子と回路基板とを接続する際、その接続作業が容易にできるので、接続作業性の向上をも図ることができる。
【発明を実施するための最良の形態】
【００２１】
（実施形態１）
以下、図１〜図４を参照して、この発明を時計モジュールに適用した実施形態１について説明する。
図１はこの発明の時計モジュールの要部を示した拡大断面図、図２はその主要部を更に拡大して示した断面図である。
この時計モジュールは、腕時計ケースなどの時計ケース内に組み込まれるものであり、図１に示すように、上部ハウジング１と下部ハウジング２とを備えている。上部ハウジング１の内部には、液晶表示装置３が上部ハウジング１の上面に設けられた開口部１ａから上方に露出した状態で配置されている。また、この上部ハウジング１と下部ハウジング２との間には、スペーサ部材４を介して回路基板５が配置されている。
【００２２】
この場合、上部ハウジング１と下部ハウジング２とは、下部ハウジング２の下面に配置された地板６によって取り付けられている。すなわち、地板６は、その周縁部に複数のフック部（図示せず）が上方に向けて設けられ、これらフック部が下部ハウジング２の側面に沿って上部ハウジング１の側面に延び、この延びたフック部の上部が上部ハウジング１の側面に設けられた複数の係止突起（図示せず）にそれぞれ係止されることにより、上部ハウジング１を引き下げてスペーサ部材４および回路基板５を下部ハウジング２上に押え付け、この状態で上部ハウジング１と下部ハウジング２とを相互に取り付けるように構成されている。
【００２３】
ところで、液晶表示装置３は、図１および図２に示すように、互いに対向する一対の透明な電極基板７、８を備えている。これら一対の電極基板７、８の対向面には、それぞれ透明電極(図示せず)が形成されていると共に、これら一対の電極基板７、８の間には、液晶（図示せず）が封入されている。また、これら一対の電極基板７、８の各外面には、偏光板１０、１１がそれぞれ設けられている。さらに、これら一対の電極基板７、８のうち、一方（図１では上側）の電極基板７には、半導体チップ９が設けられている。これにより、液晶表示装置３は、半導体チップ９によって一対の電極基板７、８の各透明電極に選択的に電圧が印加されることにより、電気光学的に情報を表示するように構成されている。
【００２４】
この場合、一対の電極基板７、８のうち、半導体チップ９が搭載される上側の電極基板７は、図２に示すように、その一側部が下側の電極基板８の端部から側方に突出しており、この突出した部分における下面には、半導体チップ９を収納する収納凹部１２が設けられている。半導体チップ９は、図２に示すように、上側の電極基板７の収納凹部１２内に収納されて封止剤１２ａによって固定されている。これにより、半導体チップ９は、その下面が上側の電極基板７の下面とほぼ同じ平面をなして下側に露出し、この状態で収納凹部１２内に収納されている。また、この上側の電極基板７における側方に突出した部分の下面には、図２に示すように、フレキシブルな配線基板１３が半導体チップ９の露出する表面（図２では下面）を覆って配置されている。
【００２５】
この配線基板１３は、図３および図４に示すように、フィルムなどの屈曲自在なベースシート１４の上下両面のうち、半導体チップ９が対面する上面に出力側端子１５が設けられ、ベースシート１４の上下両面にスルーホール部１６ａを介して入力側端子１６が設けられた構成になっている。この場合、上面の出力側端子１５は、図３に示すように、半導体チップ９の出力端子（図示せず）と上側の電極基板７の電極端子（図示せず）とに異方導電性接着剤（図示せず）によって電気的に接続されるように構成されている。
【００２６】
また、上面側の入力側端子１６は、図３に示すように、半導体チップ９の入力端子（図示せず）に異方導電性接着剤（図示せず）によって接続されており、下面側の入力側端子１６は、図４に示すように、スルーホール部１６ａによって上面側の入力側端子１６と接続された状態で、図１に示すように、スペーサ部材４の挿入孔４ａ内に挿入されて上下に貫通するインターコネクタ１７によって回路基板５と電気的に接続されるように構成されている。
【００２７】
すなわち、ベースシート１５の上面の入力側端子１６は、図３に示すように、半導体チップ９の入力端子（図示せず）に対応して間隔の狭い配列ピッチで設けられており、ベースシート１５の下面の入力側端子１６は、図４に示すように、間隔の広い配列ピッチで半導体チップ９に重なるように設けられている。これにより、インターコネクタ１７は、半導体チップ９と重なる位置において、配線基板１３の下面に間隔の広い配列ピッチで設けられた入力側端子１６に弾接することにより、この入力側端子１６と回路基板５とを電気的に接続するように構成されている。
【００２８】
このような液晶表示装置３によれば、半導体チップ９が搭載される上側の電極基板７の側方に突出した部分の下面に収納凹部１２を設け、この収納凹部１２内に半導体チップ９を収納して固定すると共に、この上側の電極基板７の下面にフレキシブルな配線基板１３を半導体チップ９の露出した下面を覆って配置し、この配線基板１３に半導体チップ９が接続する出力側端子１５と入力側端子１６とを設けると共に、入力側端子１６の一部、つまり下面側の入力側端子１６を半導体チップ９に重ねているので、半導体チップ９を搭載する上側の電極基板７に出力側端子１５と入力側端子１６とを設ける必要がないばかりか、入力側端子１６の一部である下面側の入力側端子１６を半導体チップ９に重ねていることにより、半導体チップ９を搭載する上側の電極基板７における面方向の大きさを小さくすることができ、これにより装置全体の小型化を図ることができる。
【００２９】
この場合、配線基板１３は、ベースシート１４の上下両面のうち、半導体チップ９が対面する上面に出力側端子１５を設け、ベースシート１４の上下両面にスルーホール部１６ａを介して入力側端子１６を設けた構成であるから、配線基板１３の上面に設けられた出力側端子１５によって上側の電極基板７と半導体チップ９とを電気的に接続することができると共に、配線基板１３の上下両面に設けられた入力側端子１６によって半導体チップ９と回路基板５とをインターコネクタ１７を介して電気的に接続することができるほか、特に下面側の入力側端子１６を半導体チップ９に重ねた状態で配線基板１３の下面側に露出させることができるので、インターコネクタ１７によって入力側端子１６と回路基板５と電気的に接続する際、その接続作業が容易にでき、接続作業性の向上をも図ることができる。
【００３０】
（実施形態２）
次に、図５および図６を参照して、この発明を時計モジュールに適用した実施形態２について説明する。なお、図１〜図４に示された実施形態１と同一部分には同一符号を付して説明する。
この時計モジュールは、液晶表示装置２０における下側の電極基板２１の一側部を上側の電極基板７と同様に突出させて、下側の電極基板２１と上側の電極基板７とをほぼ同じ大きさに形成し、これら上下の電極基板７、２１間に配線基板２２を配置すると共に、その側方に配線基板２２を延出し、この延出した部分の配線基板２２を下側の電極基板８の側面から下面に亘って折り曲げた構成で、これ以外は実施形態１とほぼ同じ構成になっている。
【００３１】
すなわち、上下一対の電極基板７、２１のうち、下側の電極基板２１は、図５に示すように、その一側部が上側の電極基板７と同様に側方に突出して形成され、この突出した部分が上側の電極基板７の突出した部分と対応して配置されることにより、上側の電極基板７の収納凹部１２に収納された半導体チップ９を覆うと共に、上側の電極基板７の下面に配置された配線基板２２を上側の電極基板７との間に挟むように構成されている。また、この配線基板２２は、図６に示すように、フィルムなどの屈曲自在なベースシート１４の上下両面のうち、半導体チップ９が対面する上面のみに半導体チップ９が接続する出力側端子１５と入力側端子１６とを設けた構成になっている。
【００３２】
この場合、配線基板２２は、図６に示すように、その長さ（同図では左右方向の幅）が上側の電極基板７の側方に突出した長さの２倍程度の長さに形成され、上側の電極基板７と下側の電極基板２１との両者の側方に延出し、この延出した部分が下側の電極基板２１の側面から下面に亘って折り曲げられるように構成されている。出力側端子１５は、ベースシート１４の右側部分に実施形態１と同様に設けられ、半導体チップ９の出力端子（図示せず）と上側の電極基板７の電極端子（図示せず）とに異方導電性接着剤（図示せず）によって電気的に接続されるように構成されている。
【００３３】
また、入力側端子１６は、図６に示すように、半導体チップ９の左端部側、つまり半導体チップ９の入力端子（図示せず）からベースシート１４の左端部に亘って形成され、半導体チップ９の入力端子が異方導電性接着剤（図示せず）によって接続され、この状態で上下の電極基板７、２１の各端部から側方に延出し、この延出した部分の配線基板２２が下側の電極基板２１の側面から下面に亘って折り曲げられるように構成されている。
【００３４】
これにより、入力側端子１６は、図５に示すように、折り曲げられた部分が下側の電極基板２１の下面側に露出し、この露出した部分が、実施形態１と同様、インターコネクタ１７によって回路基板５に電気的に接続されるように構成されている。この場合、入力側端子１６は、図１に示した実施形態１と同様、下側の電極基板２１の側面から下面に亘って折り曲げられた部分が半導体チップ９に重なって配置され、この状態でインターコネクタ１７が弾接するように構成されている。
【００３５】
このような液晶表示装置２０によれば、配線基板２２がベースシート１４の上面のみに出力側端子１５と入力側端子１６とを設けた構成であるから、実施形態１の配線基板１３よりも、配線基板２２を容易に製作することができる。また、この配線基板２２は、その一端部側（図６では右側部分）が半導体チップ９を覆った状態で上側の電極基板７と下側の電極基板２１との間に挟まれ、配線基板２２の他端部側（図７では左側部分）が下側の電極基板２１の側面から下面に亘って折り曲げられているので、出力側端子１５と入力側端子１６とを配線基板２２の上面に設けても、入力側端子１６の折り曲げられた部分を半導体チップ９に重ねた状態で下側の電極基板２１の下面側に露出させることができる。
【００３６】
このため、実施形態１と同様、半導体チップ９を搭載する上側の電極基板７に出力側端子１５と入力側端子１６とを設ける必要がないばかりか、入力側端子１６の折り曲げられた部分が半導体チップ９に重なることにより、半導体チップ９を搭載する上側の電極基板７における面方向の大きさを小さくすることができ、これにより装置全体の小型化を図ることができると共に、半導体チップ９が接続された入力側端子１６と回路基板５とをインターコネクタ１７で接続する際、その接続作業が容易にでき、接続作業性の向上をも図ることができるほか、下側の電極基板２１が半導体チップ９を覆っているので、この下側の電極基板２１によって半導体チップ９を確実に且つ良好に保護することができる。
【００３７】
（実施形態３）
次に、図７および図８を参照して、この発明を時計モジュールに適用した実施形態３について説明する。この場合にも、図１〜図４に示された実施形態１と同一部分に同一符号を付して説明する。
この時計モジュールは、液晶表示装置３０の上側の電極基板３１を２枚の透明板３２、３３で構成し、これら２枚の透明板３２、３３のうち、下側の透明板３３に半導体チップ９を搭載した構成で、これ以外は実施形態１とほぼ同じ構成になっている。
【００３８】
すなわち、上側の電極基板３１は、図７および図８に示すように、同じ大きさの２枚の透明板３２、３３を重ね合わせた構成になっている。この場合、上側の透明板３２の上面には偏光板１０が設けられており、下側の透明板３３の下面、つまり下側の電極基板８に対向する面には透明電極（図示せず）が設けられている。また、２枚の透明板３２、３３は、図７に示すように、その一側部が下側の電極基板８の端部から側方にそれぞれ突出しており、この突出した部分における下側の透明板３３には、半導体チップ９を収納する切欠部３４が設けられている。
【００３９】
この場合にも、半導体チップ９は、図８に示すように、下側の透明板３３の切欠部３４内に収納され、半導体チップ９の下面が下側の透明板３３の下面とほぼ同じ平面をなして下側に露出した状態で、封止剤１２ａによって固定されている。また、下側の電極基板８の端部から側方に突出した部分の下側の透明板３３の下面には、図８に示すように、フレキシブルな配線基板１３が半導体チップ９の露出した下面を覆って配置されている。この配線基板１３も、実施形態１と同様、フィルムなどの屈曲自在なベースシート１４の上下両面のうち、半導体チップ９が対面する上面に出力側端子１５が設けられ、ベースシート１４の上下両面にスルーホール部１６ａを介して入力側端子１６が設けられた構成になっている。
【００４０】
この配線基板１３においても、図３に示した実施形態１と同様、上面の出力側端子１５は、半導体チップ９の出力端子（図示せず）と上側の電極基板３１における下側の透明板３３の電極端子（図示せず）とに異方導電性接着剤（図示せず）によって電気的に接続されるように構成されている。また、入力側端子１６は、図３および図４に示した実施形態１と同様、上面側の入力側端子１６が半導体チップ９の入力端子（図示せず）に異方導電性接着剤（図示せず）によって接続され、下面側の入力側端子１６がスルーホール部１６ａを介して上面側の入力側端子１６と接続された状態で、図７に示すように、半導体チップ９と重なる位置において、インターコネクタ１７によって回路基板５と電気的に接続されるように構成されている。
【００４１】
このような液晶表示装置３０によれば、半導体チップ９が搭載される上側の電極基板３１を互いに重なり合う２枚の透明板３２、３３で構成し、下側の電極基板８に対面する下側の透明板３３の側方に突出した部分に切欠部３４を設け、この切欠部３４内に半導体チップ９を収納して固定しているので、下側の透明板３３に切欠部３４を切断加工によって容易に設けることができる。このため、実施形態１のように上側の電極基板７に半導体チップ９を収納する収納凹部１２を設ける場合に比べて、加工が簡単で、低価格なものを提供することができる。
【００４２】
また、この液晶表示装置３０では、下側の電極基板８の端部から側方に突出した下側の透明板３３の下面に、配線基板１３を配置して半導体チップ９の露出した下面を覆い、この配線基板１３に出力側端子１５と入力側端子１６とを設けると共に、下面側の入力側端子１６を半導体チップ９に重ねているので、実施形態１と同様、半導体チップ９を搭載する上側の電極基板３１に出力側端子１５と入力側端子１６とを設ける必要がないばかりか、下面側の入力側端子１６を半導体チップ９に重ねていることにより、上側の電極基板３１である２枚の透明板３２、３３の面方向の大きさを小さくすることができ、これにより装置全体の小型化を図ることができる。
【００４３】
この場合にも、配線基板１３が、ベースシート１４の上下両面のうち、半導体チップ９が対面する上面に出力側端子１５を設け、ベースシート１４の上下両面にスルーホール部１６ａを介して入力側端子１６を設けた構成であるから、下面側の入力側端子１６を半導体チップ９に重ねた状態で配線基板１３の下面側に露出させることができる。このため、実施形態１と同様、半導体チップ９が接続された入力側端子１６と回路基板９とを接続する際、その接続作業が容易にでき、これにより接続作業性の向上をも図ることができる。
【００４４】
（実施形態４）
次に、図９を参照して、この発明を時計モジュールに適用した実施形態４について説明する。この場合には、図７および図８に示された実施形態３と同一部分に同一符号を付して説明する。
この時計モジュールは、液晶表示装置４０における下側の電極基板２１の一側部を上側の電極基板３１と同様に突出させて、下側の電極基板２１を上側の電極基板３１とほぼ同じ大きさに形成し、これら上下の電極基板３１、２１間に配線基板２２を配置し、この配線基板２２を下側の電極基板２１の側面から下面に亘って折り曲げた構成で、これ以外は実施形態３とほぼ同じ構成になっている。
【００４５】
すなわち、上下一対の電極基板３１、２１のうち、下側の電極基板２１は、図９に示すように、その側部が上側の電極基板３１の２枚の透明板３２、３３と同様、側方に突出して形成され、この突出した部分が上側の電極基板３１の突出した部分に対応して配置されることにより、上側の電極基板３１における下側の透明板３３の切欠部３４内に収納された半導体チップ９の露出した下面を覆うと共に、下側の透明板３３の下面に配置された配線基板２１を下側の透明板３３との間に挟むように構成されている。また、配線基板２２は、実施形態２と同様、フィルムなどの屈曲自在なベースシート１４の上下両面のうち、上面のみに半導体チップ９が接続する出力側端子１５と入力側端子１６とを設けた構成になっている。
【００４６】
この場合にも、配線基板２２は、実施形態２と同様、その長さ（図６では左右の幅）が上側の電極基板３１の側方に突出した長さの２倍程度の長さに形成され、上側の電極基板３１と下側の電極基板２１との両者の側方に延出し、この延出した部分が下側の電極基板２１の側面から下面に亘って折り曲げられるように構成されている。そして、出力側端子１５は、ベースシート１４の右側部分に実施形態２と同様に設けられ、半導体チップ９の出力端子（図示せず）と上側の電極基板３１における下側の透明板３３の電極端子（図示せず）とに異方導電性接着剤（図示せず）によって電気的に接続されるように構成されている。
【００４７】
また、入力側端子１６も、実施形態２と同様、半導体チップ９の左端部側、つまり半導体チップ９の入力端子（図示せず）からベースシート１４の左端部に亘って形成され、半導体チップ９の入力端子に異方導電性接着剤（図示せず）によって接続され、この状態で下側の電極基板２１の側方に延出された部分のベースシート１４が下側の電極基板２１の側面から下面に亘って折り曲げられるように構成されている。
【００４８】
これにより、入力側端子１６は、図９に示すように、折り曲げられた部分の入力側端子１６が下側の電極基板２１の下面側に露出し、この露出した部分がインターコネクタ１７によって回路基板５と電気的に接続されるように構成されている。この場合、入力側端子１６は、図７に示した実施形態３と同様、下側の電極基板２１の側面から下面に亘って折り曲げられた部分が半導体チップ９と重なって配置され、これによりインターコネクタ１７が弾接するように構成されている。
【００４９】
このような液晶表示装置４０によれば、実施形態３とほぼ同様の作用効果があるほか、特に配線基板２２がベースシート１４の上面のみに出力側端子１５と入力側端子１６とを設けた構成であるから、実施形態３の配線基板１３よりも、配線基板２２を容易に製作することができる。また、この配線基板２２は、その一端部側（図６でが右側部分）が半導体チップ９を覆った状態で上側の電極基板３１と下側の電極基板２１との間に挟まれ、この配線基板２２の他端部側（図６では左側部分）が下側の電極基板２１の側面から下面に亘って折り曲げられていることにより、出力側端子１５と入力側端子１６とを配線基板２２の上面に設けても、入力側端子１６の折り曲げられた部分を半導体チップ９に重ねた状態で下側の電極基板２１の下面側に露出させることができる。
【００５０】
このため、実施形態３と同様、半導体チップ９を搭載する上側の電極基板３１に出力側端子１５と入力側端子１６とを設ける必要がないばかりか、入力側端子１６の折り曲げられた部分を半導体チップ９に重ねることにより、半導体チップ９を搭載する上側の電極基板３１、つまり２枚の透明板３２、３３の面方向の大きさを小さくすることができ、これにより装置全体の小型化を図ることができると共に、半導体チップ９が接続された入力側端子１６と回路基板５とをインターコネクタ１７で接続する際、その接続作業が容易にでき、接続作業性の向上をも図ることができるほか、下側の電極基板２１が半導体チップ９を覆っているので、この下側の電極基板２１によって半導体チップ９を確実に且つ良好に保護することができる。
【００５１】
（実施形態５）
次に、図１０〜図１３を参照して、この発明を時計モジュールに適用した実施形態５について説明する。この場合にも、図１〜図４に示された実施形態１と同一部分に同一符号を付して説明する。
この時計モジュールは、液晶表示装置５０の上下一対の電極基板７、８のうち、上側の電極基板７の下面に配線基板５１を上側の電極基板７の端部から側方に延出させて配置し、この上側の電極基板７に対応する箇所の配線基板５１の下面に半導体チップ９を配置し、この状態で半導体チップ９をモールド樹脂５２で封止し、上側の電極基板７の端部から側方に延出した部分の配線基板５１をモールド樹脂５２の側面から下面に亘って折り曲げた構成になっている。
【００５２】
この場合にも、上側の電極基板７は、実施形態１と同様、その一側部が下側の電極基板８の端部から側方に突出しており、この突出した部分の下面に配線基板５１が上側の電極基板７の端部から延出された状態で配置されるように構成されている。配線基板５１は、図１０および図１１に示すように、その長さ（図１２および図１３では左右方向の幅）が上側の電極基板７の側方に突出した部分の長さの２倍程度の長さに形成され、その右端部側が下側の電極基板８の端部から側方に突出した部分の上側の電極基板７の下面に配置され、左端部側が上側の電極基板７の端部から側方に延出し、この延出した部分が下側に向けて折り曲げられるように構成されている。
【００５３】
すなわち、この配線基板５１は、図１２および図１３に示すように、フィルムなどの屈曲自在なベースシート１４の上下両面に出力側端子１５と入力側端子１６とがそれぞれ設けられた構成になっている。この場合、出力側端子１５は、ベースシート１４の右側部分に設けられ、スルーホール部１５ａを介して上下両面が接続され、下面側の出力側端子１５が半導体チップ９の出力端子（図示せず）と接続され、上面側の出力側端子１５が上側の電極基板７の電極端子（図示せず）と接続されるように構成されている。
【００５４】
また、入力側端子１６は、図１２および図１３に示すように、ベースシート１４の左側部分に設けられ、スルーホール部１６ａを介して上下面側が接続され、下面側の入力側端子１６が半導体チップ９の入力端子（図示せず）と接続され、上面側の入力側端子１６が上側の電極基板７の端部から側方に延出し、この延出した部分が後述するようにモールド樹脂５２の側面から下面に亘って折り曲げられるように構成されている。
【００５５】
半導体チップ９は、下側の電極基板８の側方に突出した部分の上側の電極基板７の下面に位置する部分の配線基板５１の下面に配置され、その上面に設けられた入力端子と出力端子（いずれも図示せず）が配線基板５１の下面にそれぞれ設けられた出力側端子１５と入力側端子１６とに異方導電性接着剤（図示せず）によって電気的に接続され、この状態でモールド樹脂５２によって下側の電極基板８とほぼ同じ厚みで封止されている。この場合、モールド樹脂５２は、下側の電極基板８と下側の偏光板１１との両者の厚みとほぼ同じ厚みで形成され、これによりモールド樹脂５２の下面が下側の偏光板１１の下面とほぼ同じ平面になるように構成されている。
【００５６】
そして、配線基板５１は、モールド樹脂５２から側方に突出した部分がモールド樹脂５２の側面から下面に亘って折り曲げられ、この折り曲げられた部分の入力側端子１６がモールド樹脂５２の下面側に露出し、この下面側に露出した部分の入力側端子１６がインターコネクタ１７によって回路基板５と電気的に接続されるように構成されている。この場合、入力側端子１６は、図１０に示すように、折り曲げられた部分がモールド樹脂５２の下面に半導体チップ９と重なるように配置され、このモールド樹脂５２の下面に配置された部分にインターコネクタ１７が弾接するように構成されている。
【００５７】
このような液晶表示装置５０によれば、下側の電極基板８の端部から側方に突出した部分の上側の電極基板７の下面に、出力側端子１５と入力側端子１６とが上下両面に設けられたフレキシブルな配線基板５１を上側の電極基板７の端部から延出させて設け、この上側の電極基板７に対応する箇所の配線基板５１に半導体チップ９を配置すると、配線基板５１の上下両面の出力側端子１５と入力側端子１６とがスルーホール１５ａ、１６ａによって接続されているので、半導体チップ９を出力側端子１５と入力側端子１６とにそれぞれ電気的に接続することができ、このため半導体チップ９を搭載する上側の電極基板７に出力側端子１５と入力側端子１６とを設ける必要がない。
【００５８】
また、配線基板５１に配置された半導体チップ９は、モールド樹脂５２で下側の電極基板８とほぼ同じ厚みで封止され、この状態で上側の電極基板７の端部から側方に延出した部分の配線基板５１がモールド樹脂５２の側面から下面に亘って折り曲げられることにより、モールド樹脂５２によって半導体チップ９を良好に保護することができるほか、実施形態２または４と同様、入力側端子１６の折り曲げられた部分を半導体チップ９に重ねた状態でモールド樹脂５２の下面側に露出させることができる。
【００５９】
このため、半導体チップ９を搭載する上側の電極基板７に入力側端子１６と出力側端子１５とを設ける必要がないばかりか、入力側端子１６の折り曲げられた部分が半導体チップ９に重なることにより、実施形態１〜４と同様、上側の電極基板７における面方向の大きさを小さくすることができ、これにより装置全体の小型化を図ることができると共に、半導体チップ９が接続された入力側端子１６と回路基板５とを接続する際、その接続作業が容易にできるので、接続作業性の向上をも図ることができるほか、上側の電極基板７に半導体チップ９を収納する収納凹部１２を設ける必要がないので、上側の電極基板７の製作が簡単で、低価格なものを提供することができる。
【００６０】
なお、上記実施形態１〜５では、この発明の液晶表示装置を時計モジュールに適用した場合について述べたが、必ずしも時計モジュールに用いる必要はなく、携帯電話機や電子辞書、ＰＤＡ（パーソナル・デジタル・アシスタント）などの電子機器にも広く適用することができる。
【図面の簡単な説明】
【００６１】
【図１】この発明を時計モジュールに適用した要部の拡大断面図である。（実施形態１）
【図２】図１の主要部を更に拡大した断面図である。
【図３】図２の配線基板の上面側を示した拡大平面図である。
【図４】図３の配線基板の下面側を示した拡大裏面図である。
【図５】この発明を時計モジュールに適用した主要部を示した拡大断面図である。（実施形態２）
【図６】図５の配線基板の上面側を示した拡大平面図である。
【図７】この発明を時計モジュールに適用した要部の拡大断面図である。（実施形態３）
【図８】図７の主要部を更に拡大した断面図である。
【図９】この発明を時計モジュールに適用した主要部を示した拡大断面図である。（実施形態４）
【図１０】この発明を時計モジュールに適用した要部の拡大断面図である。（実施形態５）
【図１１】図１０の主要部を更に拡大した断面図である。
【図１２】図１１の配線基板の上面側を示した拡大平面図である。
【図１３】図１２の配線基板の下面側を示した拡大平面図である。
【符号の説明】
【００６２】
３、２０、３０、４０、５０  液晶表示装置
５  回路基板
７、３１  上側の電極基板
８、２１  下側の電極基板
９  半導体チップ
１２  収納凹部
１３、２２、５１  配線基板
１４  ベースシート
１５  出力側端子
１６  入力側端子
１５ａ、１６ａ  スルーホール部
１７  インターコネクタ
３２  上側の透明板
３３  下側の透明板
３４  切欠部
５２  モールド樹脂
【図１】
2007079095.tif 000003
【図２】
2007079095.tif 000004
【図３】
2007079095.tif 000005
【図４】
2007079095.tif 000006
【図５】
2007079095.tif 000007
【図６】
2007079095.tif 000008
【図７】
2007079095.tif 000009
【図８】
2007079095.tif 000010
【図９】
2007079095.tif 000011
【図１０】
2007079095.tif 000012
【図１１】
2007079095.tif 000013
【図１２】
2007079095.tif 000014
【図１３】
2007079095.tif 000015